(57)【要約】【課題】  二本のボトルから、少量ずつ二種の液体をトレー等に滴下し混合して使用する場合に、その取り出し操作を簡便化できる二液同時滴下ケースを提供する。【解決手段】  二液同時滴下ケース100 を、二本のプラスチックボトルを挿入して保持する一対のボトル保持部1a,1b と、その間をヒンジ部3a,3b を介して連結する連結部2 とで形成すると共に、各ボトル保持部は、ボトル胴部の略半周を覆う成形凹部4a,4b と、その前側端部から前方に突出する摘まみ板5a,5b を有し、成形凹部の下部にはボトルの底部に接してボトルを垂直乃至傾斜状態に支える傾斜板8a,8b を、上部にはボトルの肩部に被さるくびれ部9a,9b を有し、成形凹部の背面側の端部近傍にはボトルの背面側に接してボトルを成形凹部内に保持する係止用突起部10a,10b を有し、更に、連結部2 にはボトルの抜け出しを止める係止部11a,11b と、ボトルの胴部を押圧する押圧部12a,12b を設けて構成する。【選択図】        図１
2005145552.tif 000002
【特許請求の範囲】
【請求項１】
有底筒状の胴部とその上に連続する肩部と細口の口頸部を有し、異種の液体が充填された二本のプラスチック製のボトルを保持し、簡単な操作で両方のボトルから同時に異種の液体を滴下することのできるケースであって、該ケースが、少なくとも前記プラスチック製のボトルを挿入して保持する一対のボトル保持部と、該一対のボトル保持部の間をそれぞれヒンジ部を介して連結する連結部とを備えると共に、該ボトル保持部は、それぞれ前記ボトルの胴部の略半周を覆う成形凹部と、該成形凹部の前側端部から前方に突出するように設けられた摘まみ板を有し、該成形凹部の下部には、挿入された前記ボトルの底部に当接して該ボトルを垂直乃至傾いた状態に支える傾斜板が設けられ、該成形凹部の上部には、該ボトルの肩部に被さるくびれ部が設けられ、該成形凹部の前記摘まみ板を設けた側と反対側の端部近傍には、挿入された該ボトルの胴部の中間部の略背面側に接して該ボトルを該成形凹部内に保持する係止用突起部が設けられ、更に、前記連結部には、両側のボトル保持部に挿入された前記ボトルがその口頸部同士が接近するように傾斜した状態で、口頸部を下に向けて内部の液体が滴下される時、両側のボトルの肩部を係止してボトルの抜け出しを防止する係止部と、両側のボトルの胴部を押圧して内部の液体を押し出すための押圧部とが設けられて形成されていることを特徴とする二液同時滴下ケース。
【請求項２】
前記二液同時滴下ケースが、ポリプロピレンの射出成形で形成され、前記ヒンジ部がポリプロピレンの薄肉部で形成されていることを特徴とする請求項１記載の二液同時滴下ケース。
【請求項３】
前記二液同時滴下ケースに、該ケースの上部外周と嵌合し、且つ、傾斜した状態で保持された両側のボトルを垂直に立てるためのボトル角度修正部と、両側のボトルの口部を閉鎖する閉鎖部と、両側のボトル保持部の摘まみ板の間に挿入される前板とを備えたキャップが設けられていることを特徴とする請求項１または２に記載の二液同時滴下ケース。
【発明の詳細な説明】
【技術分野】
【０００１】
本発明は、二液同時滴下ケースに関し、更に詳しくは、プラスチックボトルなどに別々に充填された二種類の液体を、使用時に少量ずつ取り出し、混合して使用するような場合に、異なる液体が充填された二本のボトルをケースに装着することにより、簡単な操作で二種類の液体を同時に滴下して使用することのできる二液同時滴下ケースに関する。
【背景技術】
【０００２】
従来、二液反応型の接着剤やプライマー液のほか、各種分析、検査用薬液類など、別々に容器詰めされた二種類の液体を少量ずつ滴下、混合して使用する場合、連続的に大量使用する場合は専用の調合装置を作製して使用できるが、使用が不定期で小出しに分割して使用するような場合は、例えば、それぞれの液体が充填されたボトルから、使用の都度、キャップを外してトレーなどに滴下し、キャップを閉めた後、混合して使用するような方法が採られていた。
しかし、使用現場が医院、病院などの医療機関や分析、検査機関、或いは、研究所などの場合、使用頻度が増すと、忙しい中で前記一連の操作をその都度繰り返すことになり、手間と余分な時間が掛かり煩わしく、簡便化する方法が求められていた。
【０００３】
一方、二種類の液体を使用時に混合して使用することを容易にした二液混合容器としては、例えば、（１）エアゾール式二液混合容器として、缶上面を閉塞する頂壁中央部を貫通させて、液体噴出用ステム５を上方付勢させて起立する、異種液体を収納する一対のエアゾール缶１，１と、上記両エアゾール缶１，１を、胴部を接して一体的に緊縛する緊縛部材１１と、上記両エアゾール缶の上部外面へ第１頂板２２外周から垂下する第１周壁２３を嵌着させると共に第１頂板２２外周から、左右方向中間の前後両壁部分を開放２５a ，２６a させて第２周壁２４を起立し、かつ該第２周壁２４の左右両部上端から第１肉薄ヒンジ２９，２９を介して第２周壁の上端開口面を閉塞する第２頂板３０を、第２周壁上端面へ載置させて後方突出し、更に第２頂板３０前部の左右方向へ第２肉薄ヒンジ３１を、かつ第２周壁２４内方の左右両側部に、第２肉薄ヒンジ３１両端から第２頂板後端まで切離し線３２，３２を穿設して、押下げ板３３を形成し、更に又、ステム起立位置に対応する第１頂板部分を開口３５，３５するキャップ部材２１と、ステム５，５の上端部外面へ下端部を嵌着させて起立する基筒部４２，４２上端から第２周壁の前壁開放２５a 部分内を通って水平筒部４３，４３を前方突出し，これ等両水平筒部を前上方から見てＶ字状に前端を近接させて弾性片４４で一体に連結したノズル部材４１とからなり、上記押下げ板３３後端部押下げでノズル部材４１を介して両ステム５，５が下降可能に形成したことを特徴とするエアゾール式二液混合容器がある（例えば、特許文献１参照）。
【０００４】
また、（２）二液混合容器として、例えば、口部を有し第１液を収納する容器本体と、容器本体の口部に装着され、シールにより密閉された開口と、蛇腹性側壁を有し、第２液を収納する小容器と、小容器の蛇腹性側壁に装着され、放出孔を有する天板と、天板に固着され、小容器を押付けることによりシールを破断させるシール破断部と、天板の放出孔を密閉する蓋と、を備えたことを特徴とする二液混合容器がある（特許文献２参照）。
【特許文献１】特開平１１−２７８５５４号公報（第２〜３頁、図１〜図３）
【特許文献２】特開２０００−１２８２５１号公報（第２〜３頁、図１）
【０００５】
しかしながら、前記特許文献１に記載されたエアゾール式二液混合容器は、異種液体を収納した一対のエアゾール缶を用いた二液混合容器であり、異種液体を収納する容器がそれぞれエアゾール缶の場合はよいが、通常のプラスチックボトルなどには適用できない問題がある。また、エアゾール缶は、缶内の液体を噴出させるものであり、周囲に飛散しやすく、内容液の種類によっては使用できない問題がある。また、エアゾール缶は、同容量のプラスチックボトルなどと比較して、コスト高になる問題もある。
【０００６】
また、前記特許文献２に記載された二液混合容器は、使用前に衝撃などで第１液と第２液が混合されることがなく、かつ使用時には容易に二液混合液を作製することのできる二液混合容器を目的としたものであり、この構成の二液混合容器では、容器本体に収納された第１液と小容器に収納された第２液とを混合するために、両者の仕切り部のシールを破断した時に、第１液と第２液の全部が混合されてしまうため、少量ずつ小出しに分割して使用するような場合には使用できず、用途が制限される問題があった。また、容器自体が比較的複雑な構造であり、かつ使い捨てタイプであるため、容器コストが割高になる問題もあった。
【発明の開示】
【発明が解決しようとする課題】
【０００７】
本発明は、このような問題点を解決するためになされたものであり、その課題は、異種の液体が充填された二本のボトルから、少量ずつ両方の液体をトレーなどに滴下し、混合して使用する場合に、その取り出し時の操作を簡便化できるケースであって、二種類の液体が別々に充填された二本のボトルを装着することにより、簡単な操作で両方の液体を同時にトレーなどに少量ずつ滴下して使用できるようにした二液同時滴下ケースを提供することである。
【課題を解決するための手段】
【０００８】
上記の課題は、以下の本発明により解決することができる。
即ち、請求項１に記載した発明は、有底筒状の胴部とその上に連続する肩部と細口の口頸部を有し、異種の液体が充填された二本のプラスチック製のボトルを保持し、簡単な操作で両方のボトルから同時に異種の液体を滴下することのできるケースであって、該ケースが、少なくとも前記プラスチック製のボトルを挿入して保持する一対のボトル保持部と、該一対のボトル保持部の間をそれぞれヒンジ部を介して連結する連結部とを備えると共に、該ボトル保持部は、それぞれ前記ボトルの胴部の略半周を覆う成形凹部と、該成形凹部の前側端部から前方に突出するように設けられた摘まみ板を有し、該成形凹部の下部には、挿入された前記ボトルの底部に当接して該ボトルを垂直乃至傾いた状態に支える傾斜板が設けられ、該成形凹部の上部には、該ボトルの肩部に被さるくびれ部が設けられ、該成形凹部の前記摘まみ板を設けた側と反対側の端部近傍には、挿入された該ボトルの胴部の中間部の略背面側に接して該ボトルを該成形凹部内に保持する係止用突起部が設けられ、更に、前記連結部には、両側のボトル保持部に挿入された前記ボトルがその口頸部同士が接近するように傾斜した状態で、口頸部を下に向けて内部の液体が滴下される時、両側のボトルの肩部を係止してボトルの抜け出しを防止する係止部と、両側のボトルの胴部を押圧して内部の液体を押し出すための押圧部とが設けられて形成されていることを特徴とする二液同時滴下ケースからなる。
【０００９】
また、請求項２に記載した発明は、前記二液同時滴下ケースが、ポリプロピレンの射出成形で形成され、前記ヒンジ部がポリプロピレンの薄肉部で形成されていることを特徴とする請求項１記載の二液同時滴下ケースからなる。
【００１０】
請求項３に記載した発明は、前記二液同時滴下ケースに、該ケースの上部外周と嵌合し、且つ、傾斜した状態で保持された両側のボトルを垂直に立てるためのボトル角度修正部と、両側のボトルの口部を閉鎖する閉鎖部と、両側のボトル保持部の摘まみ板の間に挿入される前板とを備えたキャップが設けられていることを特徴とする請求項１または２に記載の二液同時滴下ケースからなる。
【発明の効果】
【００１１】
請求項１に記載した発明によれば、二液同時滴下ケースを、少なくとも前記プラスチック製のボトルを挿入して保持する一対のボトル保持部と、そのボトル保持部の間をそれぞれヒンジ部を介して連結する連結部とを備えると共に、そのボトル保持部には、それぞれ前記ボトルの胴部の略半周を覆う成形凹部と、該成形凹部の前側端部から前方に突出するように摘まみ板を設け、また、該成形凹部の下部には、挿入された前記ボトルの底部に当接して該ボトルを垂直乃至傾いた状態に支える傾斜板を設け、該成形凹部の上部には、該ボトルの肩部に被さるくびれ部を設け、該成形凹部の前記摘まみ板を設けた側と反対側の端部近傍には、挿入された該ボトルの胴部の中間部の略背面側に接して該ボトルを該成形凹部内に保持する係止用突起部を設け、更に、前記連結部には、両側のボトル保持部に挿入された前記ボトルがその口頸部同士が接近するように傾斜した状態で、口頸部を下に向けて内部の液体を滴下する時、両側のボトルの肩部を係止してボトルの抜け出しを防止する係止部と、両側のボトルの胴部を押圧して内部の液体を押し出すための押圧部とを設けた構成としているので、以下に列挙するような作用効果を奏する。
【００１２】
（１）混合して使用する異種の液体が充填された二本の前記プラスチック製のボトルを二液同時滴下ケースに装着する際には、それぞれのボトルのキャップを外して一対のボトル保持部の前記成形凹部に垂直に立てた状態でその胴部を挿入することにより、それぞれのボトルを前記傾斜板と係止用突起部とくびれ部とにより成形凹部に保持させることができる。
（２）そして、二液同時滴下ケースに装着された二本の前記ボトルから、それぞれに充填された液体をトレーなどの受け皿上に滴下する際には、前記ケースに装着された両側のボトルの口部を受け皿に向けて下向きに傾け、前記両側の成形凹部の前側端部から前方に突出するように設けられた摘まみ板を、両側から指で挟むようにして外側から内側に向けて（両者の間隔を狭めるように）押圧することにより、両側のボトル保持部が、それぞれヒンジ部を支点として前側に軽く折り曲げられ、両側のボトルは、それぞれ上部（口頸部の基部）が成形凹部の上部のくびれ部の内側の面と接触して内側に押されて移動するのに対して、中間部は前記ケースの連結部に設けた押圧部と当接して停止され、また、ボトルの下部は成形凹部の下部に設けた前記傾斜板に沿って外側に開き、成形凹部の壁面に接して停止される。
この時、両側のボトルは、互いに内側に傾き、口部同士が接近した状態で前記ケースに保持されている。そして、前記両側の摘まみ板を、更に内側に向けて押圧することにより、両側のボトルは、胴部の中間部が前記押圧部で同時に圧迫されて内側にくぼみ、それぞれの口部から充填された液体が、同時に略等量ずつ滴下される。また、ボトルの口部を互いに接近させて滴下できるので、極めて近い位置に二種類の液体を滴下でき、両者の混合も無駄なく容易に行うことができる。
【００１３】
従って、本発明の二液同時滴下ケースは、プラスチック製のボトルに別々に充填された二種類の液体を、使用時に少量ずつ取り出し、混合して使用するような場合に、二本のボトルを前記ケースに装着することにより、二種類の液体を同時に滴下して混合できるので、ボトルを一本ずつキャップの取り外し、内容液の滴下、キャップの取り付けの操作を行って混合する必要がなくなり、取り出し操作を簡便化することができる。
特に内容液の使用頻度が多い場合には、その都度前記一連の取り出し操作を繰り返す必要がないので、簡便化の効果も一層大きくなる。
また、本発明の二液同時滴下ケースは、ボトルの差し替えにより、繰り返し使用が可能であるため、経済性の面でも優れている。
【００１４】
また、請求項２に記載した発明によれば、請求項１に記載した発明の二液同時滴下ケースの構成において、二液同時滴下ケースをポリプロピレンの射出成形で形成すると共に、前記ヒンジ部をポリプロピレンの薄肉部で形成した構成としているので、二液同時滴下ケースを射出成形適性に優れたポリプロピレンで一体化成形できると共に、ポリプロピレンの薄肉部で形成されたヒンジ部は、耐折り曲げ性、即ち、耐屈曲性に優れているので、繰り返し折り曲げても破断することがなく耐久性にも優れている。
【００１５】
従って、前記のような構成を採ることにより、請求項１に記載した発明の作用効果に加えて、別部材のヒンジ部を取り付ける必要がなく、生産性、経済性を向上できると共に、耐久性にも優れた二液同時滴下ケースを提供することができる。
【００１６】
請求項３に記載した発明によれば、請求項１または２に記載した発明の二液同時滴下ケースの構成において、前記二液同時滴下ケースに、該ケースの上部外周と嵌合し、且つ、傾斜した状態で保持された両側のボトルを垂直に立てるためのボトル角度修正部と、両側のボトルの口部を閉鎖する閉鎖部と、両側のボトル保持部の摘まみ板の間に挿入される前板とを備えたキャップを設けた構成としているので、最初に前述したように、二液同時滴下ケースに二本のボトルをキャップを外して装着し、二種類の液体を同時に滴下して使用した後、そのまま二液同時滴下ケースの上部に、前記キャップを上方から被せて装着するだけで、傾斜した状態で保持された両側のボトルを前記ボトル角度修正部により垂直に立てると同時に、ボトルの口部をそれぞれ前記閉鎖部により閉鎖でき、且つ、両側の摘まみ板の間に挿入された前板と、該ケースの上部外周に嵌合するキャップの嵌合部とで両側の摘まみ板が固定されるので、次回の使用時までボトルに充填された残りの液体を安全に保存することができる。
【００１７】
従って、前記のような構成を採ることにより、請求項１または２に記載した発明の作用効果に加えて、両側のボトルに残留する液体を二回目以降に使用する際には、前記キャップを取り外すだけで、初回と同様に、前記両側の摘まみ板を指で外側から内側に押圧することにより、両側のボトルから二種類の液体を同時に滴下して簡便に繰り返し使用することができる。
【発明を実施するための最良の形態】
【００１８】
以下、図面を参照しながら本発明の実施の形態について説明する。但し、本発明は、その要旨を越えない限り、これらの図面に限定されるものではない。
【００１９】
図１は、本発明の二液同時滴下ケースの一実施例の構成を示す正面図である。
図２は、図１に示した二液同時滴下ケースの平面図である。
図３は、図１に示した二液同時滴下ケースの側面図である。
図４は、本発明の二液同時滴下ケースに用いるキャップの一実施例の構成を示す正面図であり、図１に示した二液同時滴下ケースに用いるキャップの一実施例の構成を示す正面図である。
図５は、図４に示したキャップの平面図である。
図６は、図４に示したキャップの側面図である。
図７は、図５に示したキャップのＡ−Ａ線断面図である。
図８は、本発明の二液同時滴下ケースに装着して使用するボトルの一例の構成を示す正面図である。
図９は、本発明の二液同時滴下ケースにボトルを装着した時の状態を示す正面図であり、図１〜図３に示した二液同時滴下ケースに図８に示したボトルを装着した時の状態を示す正面図である。
図１０は、本発明の二液同時滴下ケースの使用方法を説明する図であり、図９に示したようにボトルを装着した二液同時滴下ケースから、それぞれのボトルに充填された液体を同時にトレーなどの受け皿上に滴下する際の方法を説明する正面図である。
図１１は、図１０に示したように二液同時滴下ケースを使用した後、次回の使用まで保存するために、図４〜図７に示したキャップを装着した時の構成を示す正面図である。
【００２０】
図１〜図３の正面図、平面図、側面図に示した二液同時滴下ケース１００は、図１、図２において、左右に一対のボトル保持部１a 、１b と、そのボトル保持部１a 、１b の間をそれぞれ薄肉のヒンジ部３a 、３b を介して連結する連結部２とを備えると共に、ボトル保持部１a 、１b は、それぞれこの部分に挿入されるボトルの胴部の略半周を覆う成形凹部４a 、４b と、成形凹部４a 、４b の前側端部から前方に突出するように設けられた摘まみ板５a 、５b を有し、また、成形凹部４a 、４b の下部には、挿入されたボトルの底部に当接してそのボトルを垂直乃至傾いた状態に支える傾斜板８a 、８b を設け、成形凹部４a 、４b の上部には、挿入されたボトルの肩部に被さるくびれ部９a 、９b と、その上部外周にキャップを嵌合させる凹溝状のキャップの嵌合部１４を設け、更に成形凹部４a 、４b の摘まみ板５a 、５b を設けた側と反対側の端部近傍には、挿入されたボトルの胴部の中間部の略背面側に接してボトルを成形凹部内に保持する係止用突起部１０a 、１０b を設け、また、連結部２には、両側のボトル保持部に挿入されたボトルがその口頸部同士が接近するように傾斜した状態で、口頸部を下に向けて内部の液体を滴下した時、両側のボトルの肩部を係止してボトルの抜け出しを防止する係止部１１a 、１１b と、両側のボトルの胴部を押圧して内部の液体を押し出すための押圧部１２a 、１２b とを前側に突出する形状に設けて構成したものである。
【００２１】
このような構成の二液同時滴下ケース１００は、両側のボトル保持部１a 、１b と中間部の連結部２とを、それぞれの間に薄肉のヒンジ部３a または薄肉のヒンジ部３b を設けて連結しているので、プラスチックの射出成形により一体化成形することができ、生産性よく製造することができる。
只、実際の射出成形の際には、金型からの成形体の取り出しを容易にするため、例えば、図２の平面図に示した二液同時滴下ケース１００において、両側のボトル保持部１a 、１b が、ヒンジ部３a またはヒンジ部３b を支点として両側に９０°開いた形状、即ち、摘まみ板５a 、５b が、一直線になる形状で成形することができる。
また、成形凹部４a 、４b の摘まみ板５a 、５b を設けた側と反対側の端部近傍に設けた係止用突起部１０a 、１０b の内側周囲三方にはコの字状に切り欠き部１３a 、１３b を設けているが、これは成形を容易にするために設けたものであり、ケース１００の使用時の機能に関係するものではない。
射出成形に用いる樹脂は、特に限定はされないが、射出成形時の熱流動性などの成形適性がよく、薄肉のヒンジ部３a 、３b が耐折り曲げ性に優れ、且つコスト面で安価であることが好ましく、これらの点から特にポリプロピレンを好適に使用することができる。
【００２２】
また、本発明の二液同時滴下ケースに使用するボトルは、例えば、図８に示したような構成のボトルを使用することができる。
即ち、図８に示したボトル６０は、有底筒状の胴部３１とその上に連続する肩部３２と細口の口頸部３３とで構成されている。この場合、口頸部３３は、その先端側に射出成形などで成形した別体のノズル３４を装着して構成したが、特に口頸部先端の口径を小さくする場合、内容液の充填をノズル３４の取り付け前に行うことにより、容易に充填できると共に、ノズル３４の寸法精度を高められるので、内容液を取り出す際にも、その滴下量を安定化させることができる。
【００２３】
このようなボトル６０には、内容液を充填した後、図には示していないが、口頸部の外周に設けたネジ部を利用してスクリューキャップが装着され密封される。
また、このようなボトル６０には、二種類の液体が別々に充填され、使用時には、例えば、図１〜図３に示したような構成の二液同時滴下ケース１００のボトル保持部１a 、１b の成形凹部４a 、４b 内に、それぞれボトル６０の前記スクリューキャップを外して、図９に示すように、ボトル６０を垂直に立てた状態でその胴部を挿入することにより、前記傾斜板８a 、８b と、係止用突起部１０a 、１０b と、くびれ部９a 、９b の内側の面とにより保持させて使用することができる。
【００２４】
そして、充填された液体を取り出す際には、図１０に示すように、二液同時滴下ケース１００の両側の摘まみ板５a 、５b を、矢印で示した方向、即ち、外側から内側に向けて押圧することにより、両側のボトル保持部１a 、１b が、それぞれヒンジ部３a 、３b を支点として前側に軽く折り曲げられ、両側のボトル６０、６０は、それぞれ上部（口頸部の基部）が成形凹部の上部のくびれ部９a 、９b の内側の面と接触して内側に押されて移動し、中間部はケース１００の連結部２に設けた押圧部１２a 、１２b と当接して停止し、下部（底部）は成形凹部の下部（底板７a 、７b ）に設けた傾斜板８a 、８b に沿って外側に開いて成形凹部の壁面に接して停止し、両側のボトル６０、６０は、互いに内側に傾き、口部同士が接近した状態となる。
【００２５】
この状態でボトル６０、６０の口部が下向きとなるようにケース１００を傾けて、更に両側の摘まみ部５a 、５b を内側に押圧することにより、ボトル６０、６０の胴部が、それぞれケース１００の押圧部１２a 、１２b で同時に押されて内側にくぼみ、それぞれの口部から異なる液体が、同時に略等量ずつトレーなどの受け皿上に滴下される。
従って、ボトル６０は、少なくとも胴部が前記押圧部１２a 、１２b で押圧された時には内側にくぼみ、押圧が除かれた時には復元する弾性を有する必要があり、そのためにはプラスチックのブロー成形によるボトルを好適に使用することがでる。ボトル６０の成形に用いる樹脂は、特に限定はされないが、例えば、高密度ポリエチレン、ポリプロピレン、ポリエチレンテレフタレートなどの単独、またはこれらを主体とする共重合体、ブレンド樹脂などを使用することができる。
【００２６】
図４〜図７に示したキャップ５０は、本発明の二液同時滴下ケース、例えば、図１〜図３に示した構成の二液同時滴下ケース１００に、図８に示した構成のボトル６０を装着して、それぞれのボトル６０に充填された液体を、同時にトレーなどの受け皿上に滴下して初回の取り出しを行った後、二回目以降の使用時まで、二液同時滴下ケース１００の上部に被せて、それぞれのボトル６０に残留する液体を安全に保存するために好適に用いられるものである。
【００２７】
そのために、図４〜図７に示したキャップ５０は、その中間部に、図４、図７に示すように、二液同時滴下ケース１００の両側のボトル保持部１a 、１b に装着されたボトル６０、６０が使用時に、それぞれの口部が接近するように傾斜させた状態で保持されたボトルの口部の間に挿入され、両側のボトル６０、６０を垂直に立てるための縦断面がＶ字形のボトル角度修正部２１を有すると共に、その両側に、垂直に立てられたボトル６０、６０の口部を閉鎖する天板を備えた筒状の閉鎖部２２a 、２２b を有し、閉鎖部２２a 、２２b の天板の内側の面には、それぞれ下方に垂下するリング状の突起部が設けられ、且つ、そのリング状の突起部の内側には、立てられたボトル６０、６０の口部の先端に当接して口部を密閉するためのパッキング２４a 、２４b が設けられ、また、キャップ５０の前側下部には、キャップ５０の前側下端外周に連続して下方に垂下し、キャップ５０を二液同時滴下ケース１００に被せた時、二液同時滴下ケース１００の両側の摘まみ板５a 、５b の間に嵌まり込んで、摘まみ板５a 、５b が更に内側に押されるのを停止する前板２３を設け、更に、キャップ５０の周壁の下部内周面には、二液同時滴下ケース１００の上部くびれ部９a 、９b の上縁外周に設けられたキャップの嵌合部１４に嵌合するケースとの嵌合部２５が設けられて構成されている。
【００２８】
このような構成を採ることにより、二液同時滴下ケース１００に、異種の液体が充填されたボトル６０、６０を、そのスクリューキャップを外して装着し、前述した要領で最初の内容液の取り出し、即ち、二液同時滴下を行った後は、図１０に示したように両側のボトル６０、６０のノズル３４、３４が接近し、ボトル６０、６０が傾いた状態で保持された二液同時滴下ケース１００の上方から、キャップ５０を被せて押し込むだけで、図１１に示すように、キャップ５０のボトル角度修正部２１により、両側のボトル６０、６０が垂直に立てられると同時に、それぞれのノズル３４の先端部が、キャップ５０の閉鎖部２２a 、２２b の内面に設けられたパッキング２４a 、２４b に当接して密封され、また、キャップ５０の前板２３がケース１００の両側の摘まみ板５a 、５b の間に挿入されると共に、ケース１００の前記くびれ部９a 、９b の上縁外周に設けられたキャップの嵌合部１４と、キャップ５０の周壁の下部内面に設けられたケースとの嵌合部２５とが嵌合して、ケース１００の両側の摘まみ板５a 、５b は内側にも外側にも動かないように固定され、次回の使用までボトル６０、６０に残留する液体を安全に保存することができる。
また、キャップ５０に設けた前板２３は、前記ケース１００の両側の摘まみ板５a 、５b の間に挿入され、摘まみ板５a 、５b がそれ以上内側に動くのを阻止するストッパーの役割と同時に、使用中キャップ５０の左右を誤ってケース１００に被せようとしても、装着することができず、パッキング２４a 、２４b 部で、両側のボトル６０、６０の液体が混ざり合うのを防止する効果も有するものである。
【００２９】
従って、本発明の二液同時滴下ケースとそのキャップを用いることにより、異種の液体が充填された二本のボトルから内容液を少量ずつ取り出し、両者を混合して使用するような場合に、初回の取り出しの際はともかく、二回目以降の使用の際には、二本のボトルのキャップの開閉を一回の操作で同時に簡便に行えると共に、内溶液の取り出しも簡単な操作で二本のボトルから同時に略等量ずつを近接した位置に滴下することができるという、二本のボトルに充填された異種の液体を少量ずつ取り出して、混合する際に、その操作を大幅に簡便化できる効果を奏する。
【００３０】
以下に、実施例を挙げて本発明を更に具体的に説明する。
【実施例１】
【００３１】
図１〜図３に示した構成の二液同時滴下ケース１００と、図４〜図７に示した構成のキャップ５０とをそれぞれ以下のように作製して実施例１のキャップ付き二液同時滴下ケースとした。
二液同時滴下ケース１００は、ポリプロピレンの射出成形により一体化成形し、両側のボトル保持部１a 、１b の成形凹部４a 、４b の底板７a 、７b 、周壁、および摘まみ板５a 、５b 、そして、中間部の連結板２など主要部の肉厚はいずれも２ｍｍとし、成形凹部４a 、４b の内法高さが３５ｍｍとなるように成形して作製した。
キャップ５０も、ポリプロピレンの射出成形により成形し、閉鎖部２２a 、２２b の天板、周壁、およびボトル角度修正部２１、前板２３の肉厚はいずれも１．５ｍｍとし、前板２３を除くキャップ５０の全高さが３５ｍｍとなるように成形し、パッキング２４a 、２４b には、発泡ポリプロピレンシートの片面にポリプロピレンフィルムをラミネートした厚み１．５ｍｍのシート材を用い、そのシート材を円形に打ち抜いてポリプロピレンフィルム側がボトルの口部に接するように接着して設けた。
【００３２】
以上のように作製した実施例１のキャップ付き二液同時滴下ケースに使用するボトルとしては、図８に示した構成で有底筒状の胴部３１の直径が２８ｍｍ、高さが３０ｍｍで、ノズル３４（高さ１２ｍｍ）を含む全高さが６０ｍｍの高密度ポリエチレンのブロー成形によるボトル（但し、ノズル３４はポリプロピレンの射出成形で作製したものを内容液の充填後に装着）に、内容液として二液硬化型の歯科用プライマー液（主剤と硬化剤）を別々に各１５ｍｌ充填し、スクリューキャップで密封したボトルを用い、それぞれのスクリューキャップを取り外して、前記二液同時滴下ケース１００の両側のボトル保持部１a 、１b に、図９に示したように装着した後、両側の摘まみ板５a 、５b を外側から内側に向けて指で押圧したところ、図１０に示したように両側のボトルのノズル３４同士が接近し、ボトルが傾いた状態で二液同時滴下ケース１００に保持させることができた。
【００３３】
続いて、両側のノズル３４、３４が下方の受け皿に向くように二液同時滴下ケース１００を傾けて、前記摘まみ板５a 、５b を更に内側に押圧したところ、両側のノズル３４、３４の先端から同時に前記プライマー液の主剤と硬化剤とが略等量で受け皿上の接近した位置に滴下されて、容易に両者を混合して使用することができた。
また、両側のノズル３４、３４から内容液を滴下した後は、ノズル３４、３４を上に向けて二液同時滴下ケース１００を台上に置き、上方からキャップ５０を被せて押し込むだけでキャップ５０のボトル角度修正部２１により、両側のボトルが垂直に立てられると同時に、ノズル３４、３４の先端部がパッキング２４a 、２４b により密閉され、また、キャップ５０のケースとの嵌合部２５とケース１００の上縁外周のキャップの嵌合部１４とが嵌合すると共に、キャップ５０の前板２３がケース１００の両側の摘まみ板５a 、５b の間にタイトに挿入されるので、両側の摘まみ板５a 、５b が固定され、次回の使用時まで両側のボトルに残留する液体を安全に保存することができる。
【産業上の利用可能性】
【００３４】
本発明の二液同時滴下ケースは、異なる液体が充填された二本のボトルから、同時に所定の箇所に少量ずつ滴下し、両者を混合して使用する場合に好適に使用できるものであり、内容物に関しては、例えば、二液反応型の接着剤やプライマー液のほか、各種分析、検査用薬液類などが挙げられるが、内容物、用途に関しては特に制限はない。
【図面の簡単な説明】
【００３５】
【図１】本発明の二液同時滴下ケースの一実施例の構成を示す正面図である。
【図２】図１に示した二液同時滴下ケースの平面図である。
【図３】図１に示した二液同時滴下ケースの側面図である。
【図４】本発明の二液同時滴下ケースに用いるキャップの一実施例の構成を示す正面図であり、図１に示した二液同時滴下ケースに用いるキャップの一実施例の構成を示す正面図である。
【図５】図４に示したキャップの平面図である。
【図６】図４に示したキャップの側面図である。
【図７】図５に示したキャップのＡ−Ａ線断面図である。
【図８】本発明の二液同時滴下ケースに装着して使用するボトルの一例の構成を示す正面図である。
【図９】本発明の二液同時滴下ケースにボトルを装着した時の状態を示す正面図であり、図１〜図３に示した二液同時滴下ケースに図８に示したボトルを装着した時の状態を示す正面図である。
【図１０】本発明の二液同時滴下ケースの使用方法を説明する図であり、図９に示したようにボトルを装着した二液同時滴下ケースから、それぞれのボトルに充填された液体を同時にトレーなどの受け皿上に滴下する際の方法を説明する正面図である。
【図１１】図１０に示したように二液同時滴下ケースを使用した後、次回の使用まで保存するために、図４〜図７に示したキャップを装着した時の構成を示す正面図である。
【符号の説明】
【００３６】
１a 、１b   ボトル保持部
２  連結部
３a 、３b   ヒンジ部
４a 、４b   成形凹部
５a 、５b   摘まみ板
６a 、６b   補強リブ
７a 、７b   底板
８a 、８b   傾斜板
９a 、９b   くびれ部
１０a 、１０b   係止用突起部
１１a 、１１b   係止部
１２a 、１２b   押圧部
１３a 、１３b   切り欠き部
１４  キャップの嵌合部
２１  ボトル角度修正部
２２a 、２２b   閉鎖部
２３  前板
２４a 、２４b   パッキング
２５  ケースとの嵌合部
３１  有底筒状の胴部
３２  肩部
３３  口頸部
３４  ノズル
５０  キャップ
６０  ボトル
１００  二液同時滴下ケース
【図１】
2005145552.tif 000003
【図２】
2005145552.tif 000004
【図３】
2005145552.tif 000005
【図４】
2005145552.tif 000006
【図５】
2005145552.tif 000007
【図６】
2005145552.tif 000008
【図７】
2005145552.tif 000009
【図８】
2005145552.tif 000010
【図９】
2005145552.tif 000011
【図１０】
2005145552.tif 000012
【図１１】
2005145552.tif 000013